(57)【要約】【課題】写真画像と写真画像以外の装飾画像との自由なレイアウトを容易に実現可能であると共に、製造工程の簡略化を実現することができ、またビジュアル性に優れると共に、オリジナル性を有する写真台紙の提供を課題とする。【解決手段】基台部１０と、基台部１０の表裏の何れか一面側に設けられて表紙を構成する表紙部２０と、基台部１０の残る他面側に設けられて写真画像Ｐ等の画像を表示する画像表示部３０とを少なくとも備える写真台紙１であって、画像表示部３０は、１乃至複数の写真画像Ｐと、１乃至複数の装飾画像Ｓとを合成印刷した合成印刷体を基台部１０に貼り付けた状態に構成してある。【選択図】      図１
2013220130.tif 000002
【特許請求の範囲】
【請求項１】
基台部と、該基台部の表裏の何れか一面側に設けられて表紙を構成する表紙部と、前記基台部の残る他面側に設けられて写真画像等の画像を表示する画像表示部とを少なくとも備える写真台紙であって、前記画像表示部は、１乃至複数の写真画像と、１乃至複数の装飾画像とを合成印刷した合成印刷体を前記基台部に貼り付けた状態に構成してあることを特徴とする写真台紙。
【請求項２】
基台部は、板状部材からなり、且つ表紙部は、１枚のシート状部材からなると共に、該１枚のシート状部材を、前記板状部材を複数並列配置させた状態で該複数の板状部材の表面全体に被覆させることで、前記複数の板状部材を折り畳み可能に連結させた状態に構成してあることを特徴とする請求項１に記載の写真台紙。
【請求項３】
表紙部には、１乃至複数の写真画像と、１乃至複数の装飾画像とが合成印刷されてあることを特徴とする請求項１又は２に記載の写真台紙。
【請求項４】
画像表示部は、基台部と略同一な大きさであることを特徴とする請求項１〜３の何れか１項に記載の写真台紙。
【請求項５】
画像表示部は、最表面に表面保護層を備えることを特徴とする請求項１〜４の何れか１項に記載の写真台紙。
【発明の詳細な説明】
【技術分野】
【０００１】
本発明は、写真画像と写真画像以外の装飾画像とを合成印刷してなる画像表示部を備えてなる写真台紙に関する。
【背景技術】
【０００２】
従来、お宮参り、七五三、入学式、卒業式、成人式、婚礼等の記念行事に際しての記念写真を保存、閲覧することができるものとして、写真台紙が用いられている。
このような写真台紙は、基台となる板状の台紙の内面に開口部（窓枠部）を形成すると共に、開口部の中に写真を嵌め込んで台紙に貼り付けることで形成されるものが一般的である。また高級感を演出するために、無地若しくは金箔で文字入れした布地で表紙を形成するものが一般的である。
このような写真台紙を示す従来技術として、例えば下記特許文献１がある。
【先行技術文献】
【特許文献】
【０００３】
【特許文献１】特開平８−１７３２８７号公報
【発明の概要】
【発明が解決しようとする課題】
【０００４】
上記特許文献１に示すような従来の写真台紙は、重厚感や高級感を演出できるというメリットがある。
しかしこのような従来の写真台紙は、既述したように、台紙の内面に形成する開口部に写真を嵌め込む構成であることから、写真の枚数、配置位置、大きさ等が開口部の数、形成位置、大きさ等によって制約されることになり、自由なレイアウトで写真を配置することが困難であるという問題があった。
また無地若しくは文字入れのみで表紙を形成する構成であることから、オリジナル性に欠けるという問題があった。
更に台紙に開口部を形成する工程や、開口部に写真を嵌め込んで台紙に貼り付ける工程等が必要であることから、製造工程が複雑になると共に、製造コストを削減することが困難であるという問題があった。
【０００５】
そこで本発明は上記従来における問題点を解決し、写真画像と写真画像以外の装飾画像との自由なレイアウトを容易に実現可能であると共に、製造工程の簡略化を実現することができ、またビジュアル性に優れると共に、オリジナル性を有する写真台紙の提供を課題とする。
【課題を解決するための手段】
【０００６】
本発明の写真台紙は、基台部と、該基台部の表裏の何れか一面側に設けられて表紙を構成する表紙部と、前記基台部の残る他面側に設けられて写真画像等の画像を表示する画像表示部とを少なくとも備える写真台紙であって、前記画像表示部は、１乃至複数の写真画像と、１乃至複数の装飾画像とを合成印刷した合成印刷体を前記基台部に貼り付けた状態に構成してあることを第１の特徴としている。
【０００７】
上記本発明の第１の特徴によれば、写真台紙は、基台部と、該基台部の表裏の何れか一面側に設けられて表紙を構成する表紙部と、前記基台部の残る他面側に設けられて写真画像等の画像を表示する画像表示部とを少なくとも備える写真台紙であって、前記画像表示部は、１乃至複数の写真画像と、１乃至複数の装飾画像とを合成印刷した合成印刷体を前記基台部に貼り付けた状態に構成してあることから、写真画像と装飾画像との自由なレイアウトを容易に実現することができる。また合成印刷体を基台部に貼り付けるだけの構成であるので、製造工程の簡略化を実現することができる。
【０００８】
また本発明の写真台紙は、上記本発明の第１の特徴に加えて、基台部は、板状部材からなり、且つ表紙部は、１枚のシート状部材からなると共に、該１枚のシート状部材を、前記板状部材を複数並列配置させた状態で該複数の板状部材の表面全体に被覆させることで、前記複数の板状部材を折り畳み可能に連結させた状態に構成してあることを第２の特徴としている。
【０００９】
上記本発明の第２の特徴によれば、写真台紙は、上記本発明の第１の特徴による作用効果に加えて、基台部は、板状部材からなり、且つ表紙部は、１枚のシート状部材からなると共に、該１枚のシート状部材を、前記板状部材を複数並列配置させた状態で該複数の板状部材の表面全体に被覆させることで、前記複数の板状部材を折り畳み可能に連結させた状態に構成してあることから、表紙部を容易に形成することができると共に、基台部を構成する複数の板状部材を容易に連結させることができる。また基台部を構成する複数の板状部材を折り畳み可能に連結させることで、持ち運びや保管に便利な写真台紙とすることができる。
【００１０】
また本発明の写真台紙は、上記本発明の第１又は第２の特徴に加えて、表紙部には、１乃至複数の写真画像と、１乃至複数の装飾画像とが合成印刷されてあることを第３の特徴としている。
【００１１】
上記本発明の第３の特徴によれば、写真台紙は、上記本発明の第１又は第２の特徴による作用効果に加えて、表紙部には、１乃至複数の写真画像と、１乃至複数の装飾画像とが合成印刷されてあることから、ビジュアル性に優れると共に、オリジナル性のある表紙部を形成することができる。
【００１２】
また本発明の写真台紙は、上記本発明の第１〜第３の何れか１つの特徴に加えて、画像表示部は、基台部と略同一な大きさであることを第４の特徴としている。
【００１３】
上記本発明の第４の特徴によれば、写真台紙は、上記本発明の第１〜第３の何れか１つの特徴による作用効果に加えて、画像表示部は、基台部と略同一な大きさであることから、基台部の大きさ全体に写真画像と装飾画像とを表示することができる。また基台部に対する画像表示部の位置合わせを容易にさせることができ、一段と製造工程の簡略化を実現することができる。
【００１４】
また本発明の写真台紙は、上記本発明の第１〜第４の何れか１つの特徴に加えて、画像表示部は、最表面に表面保護層を備えることを第５の特徴としている。
【００１５】
上記本発明の第５の特徴によれば、写真台紙は、上記本発明の第１〜第４の何れか１つの特徴による作用効果に加えて、画像表示部は、最表面に表面保護層を備えることから、画像表示部に汚れや傷が付くことを効果的に防止することができる。
【発明の効果】
【００１６】
本発明の写真台紙によれば、写真画像と装飾画像との自由なレイアウトを容易に実現することができると共に、製造工程の簡略化を実現することができる。
またビジュアル性に優れると共に、オリジナル性のある表紙部を形成することができる。
また画像表示部に汚れや傷が付くことを効果的に防止することができる。
【図面の簡単な説明】
【００１７】
【図１】本発明の実施形態に係る写真台紙を示す図で、（ａ）は写真台紙の画像表示部側を示す斜視図、（ｂ）は写真台紙の表紙部側を示す斜視図、（ｃ）は折り畳んだ状態を示す底面図である。
【図２】本発明の実施形態に係る写真台紙の分解斜視図である。
【図３】本発明の実施形態に係る写真台紙を示す図で、（ａ）は図１（ａ）の要部を示す正面図、（ｂ）は（ａ）のＡ−Ａ線方向における断面図である。
【図４】本発明の実施形態に係る写真台紙の製造方法を簡略化して示す正面図である。
【図５】本発明の実施形態に係る写真台紙の製造方法を簡略化して示す正面図である。
【図６】本発明の実施形態に係る写真台紙の製造方法を簡略化して示す正面図である。
【図７】本発明の実施形態に係る写真台紙の製造方法を簡略化して示す図で、（ａ）は画像表示部を基台部に貼り付けた状態を示す正面図、（ｂ）は写真台紙が完成した状態を示す斜視図である。
【図８】従来の写真台紙を示す図で、（ａ）は写真台紙における写真を配置してある側を示す斜視図、（ｂ）は写真台紙における表紙側を示す斜視図である。
【発明を実施するための形態】
【００１８】
以下の図面を参照して、本発明の実施形態に係る写真台紙１及び写真台紙１の製造方法を説明し、本発明の理解に供する。しかし、以下の説明は本発明の実施形態であって、特許請求の範囲に記載の内容を限定するものではない。
【００１９】
まず図１〜図３を参照して、本発明の実施形態に係る写真台紙１を説明する。
【００２０】
本発明の実施形態に係る写真台紙１は、顔写真等の写真画像Ｐと、イラストや図形等の装飾画像Ｓとを組み合わせて一体的に表示（掲載）してある写真台紙である。
この写真台紙１は、図１〜図３に示すように、基台部１０と、表紙部２０と、画像表示部３０と、屈曲補強部４０とから構成される。
【００２１】
前記基台部１０は、写真台紙１の骨格（芯）をなすものである。
本実施形態においては図２に示すように、四角形からなる板状部材で基台部１０を形成する構成としてある。更に具体的には、同一形状、同一大きさ、同一厚みである３枚（３面）の基台部１０を備える構成としてある。
また本実施形態においては後述するように、写真台紙１を形成した状態において、基台部１０の表裏の一面側（本実施形態においては、図２に示す板状部材の裏面１１側）に表紙を構成する表紙部２０を設けると共に、残る他面側（本実施形態においては、図２に示す板状部材の表面１２側）に写真画像等の画像を表示する画像表示部３０を設ける構成としてある。
なお板状部材としては、厚紙、チップボール、ＭＤＦボード等を用いることができる。
本実施形態においては、板状部材としてチップボールを用いる構成としてある。
また図３（ａ）に破線の四角形で示す基台部１０の縦の長さＢは、３０４ｍｍ程度とすることが望ましい。
また図３（ａ）に破線の四角形で示す基台部１０の横の長さＣは、３０４ｍｍ程度とすることが望ましい。
また基台部１０の厚みは、２ｍｍ〜３ｍｍ程度とすることが望ましい。２ｍｍ未満であると反りが生じる可能性があるからである。
【００２２】
前記表紙部２０は、写真台紙１の表紙を構成すると共に、基台部１０を構成する複数の板状部材を折り畳み可能に連結させるためのものである。
この表紙部２０は、図２に簡略化して示すように、シート状部材（いわゆるシート）からなり、表裏の何れか一面側（本実施形態においては、図２に示す裏面２１側）を、表紙を構成する表紙面としてあると共に、残る他面側（本実施形態においては、図２に示す表面２２側）を、基台部１０を貼り付けるための貼り付け用面としてある。
また図１（ｂ）に示すように、表紙面となる裏面２１には、１つの写真画像Ｐと、３つの装飾画像Ｓとを合成印刷（組み合わせて一体的に印刷）してある。
なお、ここで「写真画像Ｐ」とは、画像のうち、デジタルカメラ等の写真機（いわゆるカメラ）で撮影された画像を意味するものとし、「装飾画像Ｓ」とは、画像のうち、写真画像以外の画像（例えば、イラスト、飾り枠、文字、数字等）を意味するものとする。
この写真画像Ｐと装飾画像Ｓとの合成は、例えば画像処理ソフトを用いて行うことができる。
本実施形態においては、後述するように、画像処理ソフトを用いて写真画像Ｐをコンピュータ内に入力させた後、画像処理ソフトを用いて写真画像Ｐと任意の装飾画像Ｓとを合成することで行う構成としてある。
また表紙部２０を形成するシート状部材への写真画像Ｐと装飾画像Ｓとの合成印刷は、例えばインクジェット印刷、印画紙出力、昇華転写印刷等を用いて行うことができる。
本実施形態においては後述するように、プリンターを用いてインクジェット印刷で行う構成としてある。
また本実施形態においては、図１、図２に簡略化して示すように、１枚のシート状部材を、複数の板状部材を一定の間隔を空けて並列配置させた状態で、接着剤（図４参照）を介して複数の板状部材の裏面全体に一体的に被覆させることで、複数の板状部材を折り畳み可能に連結させた状態で表紙部２０を形成する構成としてある。
つまり図３（ａ）に簡略化して示すように、表紙部２０を構成する１枚のシート状部材を、３枚の基台部１０（破線の四角形で示す）を一定の間隔を空けて並列配置させた状態で、図示しない接着剤を介して３枚の基台部１０の表面全体に一体的に被覆させることで、隣接する基台部１０の間に形成される領域を屈曲領域Ｋとし、この屈曲領域Ｋで表紙部２０を屈曲可能とさせ、また図１（ｃ）に示すように、１枚のシート状部材からなる表紙部２０で３枚の基台部１０（破線で示す）を折り畳み可能に連結させる構成としてある。
なお表紙部２０を形成するシート状部材としては、ビニールレザーや布製生地等を用いることができる。
本実施形態においては、シート状部材としてビニールレザーを用いる構成としてある。
また接着剤としては、表紙部２０を構成するシート状部材と基台部１０とを貼り合わせることができるものであれば、如何なるものを用いてもよい。
例えば両面テープ、にかわ等を用いることができる。
また表紙部２０の厚みは、０．２ｍｍ〜０．３ｍｍ程度とすることが望ましい。
なお基台部１０に対する表紙部２０の被覆方法は、例えば接着剤を介して表紙部２０と基台部１０とを貼り付けることで行うことができる。本実施形態においては後述するように、１枚のシート状部材の所定位置に接着剤を塗布した後、板状部材からなる３枚の基台部１０を表紙部２０に貼り付けると共に、表紙部２０の端部（図２（ａ）に示す表紙部２０の折り返し線Ｌ１よりも外側の部分）を基台部１０の表面１２側に折り返して接着させることで行う構成としてある。
【００２３】
前記画像表示部３０は、写真画像Ｐと装飾画像Ｓとを一体的に表示させるためのものである。
本実施形態においては、図２に示すように、四角形からなる板状部材で画像表示部３０を形成する構成としてある。更に具体的には、同一形状、同一大きさ、同一厚みである３枚（３面）の画像表示部３０を備える構成としてある。
この画像表示部３０は、図３（ｂ）に示すように、ベース層３１と、印画紙層３２と、表面保護層３３とからなる合成印刷体Ｇで形成されている。
【００２４】
前記ベース層３１は、画像表示部３０の骨格をなす層である。
このベース層３１としては、厚紙、カラーボード紙等を用いることができる。
本実施形態においては、ベース層３１として厚紙を用いる構成としてある。
またベース層３１の厚みは、０．３ｍｍ〜０．５ｍｍ程度とすることが望ましい。
【００２５】
前記印画紙層３２は、写真画像Ｐと装飾画像Ｓとを合成印刷させるための層である。
本実施形態においては、図１、図２に示すように、３枚の画像表示部３０を構成するそれぞれの印画紙層３２に、１つの写真画像Ｐ（顔写真）と、複数の装飾画像Ｓ（イラスト、フレーム枠等）を設ける構成としてある。
この印画紙層３２としては、光沢紙、絹目紙、微粒面紙等を用いることができる。
本実施形態においては、印画紙層３２として微粒面紙を用いる構成としてある。
なお写真画像Ｐと装飾画像Ｓとの合成は、例えば画像処理ソフトを用いて行うことができる。
本実施形態においては後述するように、画像処理ソフトを用いて写真画像Ｐをコンピュータ内に入力した後、画像処理ソフトを用いて写真画像Ｐと任意の装飾画像Ｓとを合成する構成としてある。
また印画紙層３２を形成する微粒面紙等への写真画像Ｐ、装飾画像Ｓの印刷は、例えば印画紙出力、インクジェット印刷、昇華転写印刷等を用いて行うことができる。
本実施形態においては後述するように、プリンターを用いて印画紙出力で行う構成としてある。
【００２６】
前記表面保護層３３は、印画紙層３２を保護するための層である。
より具体的には、写真画像Ｐと装飾画像Ｓとを備える印画紙層３２に汚れや傷が付くことを防止すると共に、写真台紙１を閉じた状態において隣接する印画紙層３２同士が湿気等により接着することを防止するための層である。
この表面保護層３３は、印画紙層３２の表面に表面保護剤を塗布（いわゆるニスコーティング等）したり、印画紙層３２の表面に透明の表面保護フィルムを被覆（ラミネート）させたり（いわゆるフィルムコーティング等）等、印画紙層３２の表面に表面保護加工を施すことで形成することができる。
また透明の表面保護フィルムとしては、ポリエチレンフィルム等を用いることができる。
本実施形態においては、印画紙層３２の表面にニスを塗布することで表面保護層３３を形成する構成としてある。
【００２７】
また本実施形態においては、図３（ａ）に示すように、画像表示部３０（合成印刷体Ｇ）の大きさを、基台部１０（板状部材）と略同一な大きさ（面積）とする構成としてある。
ここで「略同一な大きさ」とは、画像表示部３０の大きさ（面積）が、基台部１０の大きさ（面積）に対して、９５％程度〜９７％程度の大きさ（面積）であることを意味するものとする。
より具体的には、図３（ａ）に示す画像表示部３０の縦の長さＤは、３００ｍｍ程度とすることが望ましい。
また図３（ａ）に示す画像表示部３０の横の長さＥは、３００ｍｍ程度とすることが望ましい。
この画像表示部３０は後述するように、図示しない接着剤を介してベース層３１と、表面保護層３３を備える印画紙層３２とを貼り合わせることで合成印刷体Ｇを形成した後、更に図３（ａ）に示す接着剤５０を介して合成印刷体Ｇを基台部１０、屈曲補強部４０に貼り付けることで形成することができる。
なおベース層３１と印画紙層３２とを貼り合わせる接着剤としては、ベース層３１と印画紙層３２とを貼り合わせることができるものであれば、如何なるものを用いてもよい。
例えば両面テープ、にかわ等を用いることができる。
また合成印刷体Ｇを基台部１０及び屈曲補強部４０に貼り付ける接着剤５０としては、合成印刷体Ｇと基台部１０及び屈曲補強部４０とを貼り合わせることができるものであれば、如何なるものを用いてもよい。
例えば両面テープを用いることができる。
【００２８】
前記屈曲補強部４０は、主として表紙部２０における屈曲領域Ｋの強度を補強するためのものである。
本実施形態においては、図２に示すように、細長い長方形からなる部材で屈曲補強部４０を形成する構成としてある。
なお屈曲補強部４０を形成する部材としては、例えばビニールレザー、布製生地等を用いることができる。
本実施形態においては、屈曲補強部４０として無地のビニールレザーを用いる構成としてある。
なお屈曲補強部４０の大きさ（面積）は、屈曲領域Ｋの強度を効果的に補強できる大きさであることが望ましい。より具体的には、屈曲領域Ｋの大きさ（面積）の全域を被覆できるような大きさであることが望ましい。
本実施形態においては、図３（ａ）に示すように、屈曲補強部４０の縦の長さＦを基台部１０の縦の長さＢよりもやや短いものとすると共に、横の長さＨを屈曲領域Ｋの幅Ｊよりも長いものとする構成としてある。
更に具体的には、図３（ａ）に示す屈曲補強部４０の縦の長さＦは、画像表示部３０の縦の長さＤと同等の３００ｍｍ程度とすることが望ましい。
また図３（ａ）に示す屈曲補強部４０の横の長さＨは、４５ｍｍ〜５０ｍｍ程度とすることが望ましい。
【００２９】
このような構成からなる本発明の実施形態に係る写真台紙１は、以下の効果を奏する。
写真画像Ｐと、装飾画像Ｓとを画像ソフトを用いて合成する構成とすることで、写真画像Ｐと装飾画像Ｓとの自由なレイアウトを容易に形成することができる。よってビジュアル性に優れると共に、オリジナル性のある写真台紙１とすることができる。
また写真画像Ｐと装飾画像Ｓとを合成印刷した合成印刷体Ｇを基台部１０に貼り付けることで画像表示部３０を形成する構成とすることで、写真画像Ｐと装飾画像Ｓとの自由なレイアウトを備える合成印刷体Ｇを基台部１０に貼り付けるだけで画像表示部３０を形成することができるので、基台部１０上に写真画像Ｐと装飾画像Ｓとの自由なレイアウトを容易に表現することができる。また１枚の基台部１０に対して１枚の画像表示部３０を貼り付けるだけで複数の画像を表示できる写真台紙１を形成することができることから、製造工程の簡略化と製造コストの低コスト化とを実現することができる。
更に３枚の基台部１０を一定の間隔を空けて並列配置させた状態で、３枚の基台部１０の表面全体に１枚のシート状部材を一体的に被覆させることで、３枚の基台部１０を折り畳み可能に連結させた状態で表紙部２０を形成する構成とすることで、表紙部２０を容易に形成することができると共に、３枚の基台部１０を容易に連結させることができる。また３枚の基台部１０を折り畳み可能に連結させることで、持ち運びや保管に便利な写真台紙１とすることができる。
また表紙部２０に写真画像Ｐと装飾画像Ｓとを合成印刷する構成とすることで、ビジュアル性に優れると共に、オリジナル性のある外観を備える写真台紙１とすることができる。更に表紙部２０を１枚のシート状部材で形成することで、図１（ｂ）に示すように、写真台紙１を開いた状態において、表紙部２０の全面に渡って連なった画像を表示（掲載）することができ、一段とビジュアル性に優れると共に、オリジナル性のある外観を備える写真台紙１とすることができる。
また画像表示部３０の大きさを、基台部１０と略同一な大きさとする構成とすることで、基台部１０の大きさの略全体に写真画像Ｐと装飾画像Ｓとを表示（掲載）することができ、ビジュアル性に優れる写真台紙１とすることができる。また基台部１０への画像表示部３０の位置合わせを容易に行うことができ、一段と製造工程の簡略化を実現することができる。更に本実施形態においては、１枚のシート状部材からなる表紙部２０の端部（図２に示す表紙部２０における折り返し線Ｌ１よりも外側の部分）を基台部１０の表面１２側に折り返して接着させる構成であることから、基台部１０に表紙部２０を接着させた状態において、基台部１０の表面１２と表紙部２０の折り返し部分とが、言わばむき出し状態で露出されているところ、画像表示部３０でこれら表面１２と表紙部２０の折り返し部分とを効果的に被覆する（隠す）ことができる。よって一段とビジュアル性に優れた、デザイン性の高い写真台紙１とすることができる。
また画像表示部３０の最表面を表面保護層３３で形成する構成とすることで、画像表示部３０（より具体的には、印画紙層３２）に汚れや傷が付くことを効果的に防止することができると共に、写真台紙１を閉じた状態においては隣接する画像表示部３０同士が湿気等により接着することを効果的に防止することができる。
また屈曲補強部４０の大きさを、縦の長さＦが基台部１０の縦の長さＢよりもやや短く、横の長さＨが屈曲領域Ｋの幅Ｊよりも長いものとする構成とすることで、屈曲領域Ｋの強度を効果的に補強することができ、繰り返しの折り畳みに対する耐性を十分に備える写真台紙１とすることができる。
更に図３に簡略化して示すように、屈曲領域Ｋは、隣接する基台部１０の間に形成される領域であるので、表紙部２０における表面２２の素材が言わばむき出し状態で露出する部分であるところ、本実施形態における屈曲補強部４０の大きさとすることで、表面２２が露出している部分を屈曲補強部４０で効果的に被覆する（隠す）ことができ、一段とビジュアル性に優れた、デザイン性の高い写真台紙１とすることができる。
また基台部１０としてチップボールを用いる構成、併せてベース層３１として厚紙を用いる構成とすることで、製造コストの省コスト化を実現できる写真台紙１とすることができる。
また表紙部２０としてビニールレザーを用いる構成とすることで、防水力、防泥力に優れ、また高級感があると共に、手触り感の良好な表紙部２０とすることができる。
また表面保護層３３としてニスを用いる構成とすることで、印画紙層３２に汚れや傷が付くことを効果的に防止することができると共に、写真台紙１を閉じた状態において隣接する印画紙層３２同士が湿気等により接着することを効果的に防止することができる。また光沢感、或いはつや消し感を備えた画像表示部３０とすることができ、高級感を演出することができる。
また基台部１０と画像表示部３０とを両面テープを介して貼り付ける構成とすることで、作業性が良く、製造効率の良い写真台紙１とすることができる。
【００３０】
つまり図８（ａ）に示すように、従来の写真台紙２は、基台部４に開口部５（窓枠）を形成し、この開口部５の中に写真６を嵌め込み、写真６を基台部４に貼り付けることで形成されるものが一般的であった。
よって写真６の配置位置や大きさが開口部５の形成位置や大きさに限定されることになり、自由なレイアウトで写真を配置することが困難であるという問題があった。
また基台部４に開口部５を形成する工程や、開口部５に写真を嵌め込んで基台部４に貼り付ける工程等が必要であることから、製造工程が複雑になると共に、製造コストを削減することが困難であるという問題があった。
また現像された写真自体を用いる構成であることから、写真画像と、装飾画像とを組み合わせて表示することができず、オリジナル性のある写真台紙を形成することができないという問題があった。
また図８（ｂ）に示すように、従来の写真台紙２は、表紙部３が無地で形成されるものが一般的であった。
よってオリジナル性のある外観を有する写真台紙とすることができないという問題があった。
【００３１】
従って本発明の実施形態に係る写真台紙１の構成とすることで、写真画像Ｐと装飾画像Ｓとを自由に組み合わせて表示することができると共に、表紙部２０にも写真画像Ｐと装飾画像Ｓとを表示することができることで、ビジュアル性に優れると共に、オリジナル性のある写真台紙１とすることができる。また製造工程の簡略化と製造コストの低コスト化とを実現することができる。
【００３２】
次に図４〜図７を参照して、本発明の実施形態に係る写真台紙１の製造方法を説明することで、本発明の実施形態に係る写真台紙１を更に詳細に説明する。
【００３３】
まず図４（ａ）を参照して、表紙部形成工程Ｍにより、表紙部２０を形成する所定大きさのシート状部材２０ａを準備して、一面側に写真画像Ｐと装飾画像Ｓとを合成印刷する。
なお本実施形態においては、シート状部材２０ａとしてビニールレザーを用いる構成としてある。
なお写真画像Ｐと装飾画像Ｓとの合成は、画像処理ソフトを用いて写真画像Ｐをコンピュータ内に入力させた後、画像処理ソフトを用いて写真画像Ｐと任意の装飾画像Ｓとを合成する。
またシート状部材２０ａへの写真画像Ｐと装飾画像Ｓとの合成印刷は、プリンターを用いてインクジェット印刷により行う。
なお図４（ａ）に示すシート状部材２０ａの縦の長さＮは、３５０ｍｍ程度とすることが望ましい。
また図４（ａ）に示すシート状部材２０ａの横の長さＱは、１０００ｍｍ程度とすることが望ましい。
次に図４（ｂ）を参照して、シート状部材２０ａにおける、合成印刷を施した面と反対側の面に折り返し線Ｌ１を形成すると共に、折り返し線Ｌ１に沿ってシート状部材２０ａの仮折りを行う。この折り返し線Ｌ１の形成及びシート状部材２０ａの仮折りは、図示しない機械を用いて行う。
次に図４（ｃ）を参照して、折り返し線Ｌ１を形成した面の所定領域（具体的には、基台部１０に被覆させる領域）に接着剤６０を塗布する。
なお接着剤６０としては、シート状部材２０ａと基台部１０とを貼り合わせることができるものであれば、如何なるものを用いてもよい。
例えば両面テープ、にかわ等を用いることができる。
次に図５（ａ）を参照して、シート状部材２０ａの所定位置（具体的には、３枚の基台部１０をシート状部材２０ａで折り畳み可能に連結させることができる位置、更に具体的には図４（ｃ）において１点鎖線で囲む位置）に、所定大きさの厚紙からなる基台部１０を貼り付ける。
次に図５（ｂ）を参照して、シート状部材２０ａを折り返し線Ｌ１で折り返して、シート状部材２０ａの端部（図４（ｂ）に示すシート状部材２０ａの折り返し線Ｌ１よりも外側の部分）を基台部１０の表面１２側に貼り付ける。また同時に屈曲領域Ｋとなる領域においてはシート状部材２０ａ同士を貼り付ける。
以上の工程により、表紙部形成工程Ｍが終了し、基台部１０の一面側に表紙部２０が形成される。
次に図５（ｃ）を参照して、画像表示部形成工程Ｒにより、印画紙層３２を形成する所定大きさの印画紙３２ａを準備して、写真画像Ｐと装飾画像Ｓとを合成印刷する。
なお写真画像Ｐと装飾画像Ｓとの合成は、画像処理ソフトを用いて写真画像Ｐをコンピュータ内に入力させた後、画像処理ソフトを用いて写真画像Ｐと任意の装飾画像Ｓとを合成する。
また印画紙３２ａへの写真画像Ｐと装飾画像Ｓとの印刷は、図示しないプリンターを用いて印画紙出力により行う。
次に図示していないが、写真画像Ｐと装飾画像Ｓとを印刷した印画紙３２ａの表面全体に表面保護剤を塗布することで、表面保護層３３を形成する。
なお本実施形態においては、表面保護剤としてニスを用いる構成としてある。
次に図６（ａ）を参照して、印画紙層３２を形成する印画紙３２ａと略同一大きさのベース層３１を形成する厚紙３１ａを準備する。そして厚紙３１ａの表面に接着剤６０を塗布し、厚紙３１ａと印画紙３２ａとを貼り合せる。これにより、後に画像表示部３０を形成する合成印刷体Ｇが形成される。
なお接着剤６０としては、厚紙３１ａと印画紙３２ａとを貼り合わせることができるものであれば、如何なるものを用いてもよい。
例えば両面テープ、にかわ等を用いることができる。
次に図６（ｂ）を参照して、合成印刷体Ｇの四方を、切断機を用いて破線で示す切断線Ｌ２で切断する。この工程により、厚紙３１ａと印画紙３２ａとの貼り合わせ工程で生じる、厚紙３１ａと印画紙３２ａとのズレ部分を切断することができ、厚紙３１ａと印画紙３２ａとの寸法合わせを行うことができる。
次に図６（ｃ）を参照して、屈曲補強部形成工程Ｔにより、屈曲補強部４０となる所定大きさのビニールレザーを準備し、図示しない接着剤を介して、表紙部２０における屈曲領域Ｋにビニールレザーを貼り付ける。これにより、屈曲補強部４０が形成される。
なお接着剤としては、屈曲補強部４０と表紙部２０及び基台部１０とを貼り合わせることができるものであれば、如何なるものを用いてもよい。
例えば両面テープを用いることができる。
次に図７（ａ）を参照して、画像表示部貼り付け工程Ｕにより、１点鎖線で示す領域に接着剤５０を配設し、基台部１０及び屈曲補強部４０に接着剤５０を介して合成印刷体Ｇを貼りつける。
これにより、図７（ａ）に示すように、基台部１０の他面側（本実施形態においては図２に示す表面１２側）に画像表示部３０が形成される。
なお合成印刷体Ｇを基台部１０及び屈曲補強部４０に貼り付ける接着剤５０としては、合成印刷体Ｇと基台部１０及び屈曲補強部４０とを貼り合わせることができるものであれば、如何なるものを用いてもよい。
例えば両面テープを用いることができる。
以上の工程を経ることで、図７（ｂ）に示す本発明の実施形態に係る写真台紙１が形成される。
【００３４】
なお本実施形態においては、基台部１０及び画像表示部３０を四角形で形成する構成としたが、必ずしもこのような構成に限るものではなく、基台部１０及び画像表示部３０の形状は適宜変更可能である。
また本実施形態においては、基台部１０及び画像表示部３０をそれぞれ３枚（３面）備える構成としたが、必ずしもこのような構成に限るものではなく、基台部１０及び画像表示部３０の数は適宜変更可能である。
また写真画像Ｐ、装飾画像Ｓの構成（デザイン、配置位置、大きさ、数等）も本実施形態のものに限るものではなく、適宜変更可能である。
また本実施形態においては、３枚の基台部１０に対して、それぞれ個別に画像表示部３０を貼りつける構成としたが、必ずしもこのような構成に限るものではない。例えば、３枚の基台部１０に対して、１枚の画像表示部３０を３枚の基台部１０に渡って一体的に貼り付ける構成としてもよい。このような構成とすることで一段と製造工程の簡略化を実現することができる。
また本実施形態においては、無地のビニールレザーで屈曲補強部４０を形成する構成としたが、必ずしもこのような構成に限るものではない。例えば屈曲補強部４０にプリンターを用いてインクジェット印刷で画像表示部３０に形成される画像と関連する画像（例えば画像表示部３０に形成される画像と連続する画像）を形成する構成としてもよい。このような構成とすることで、一段とビジュアル性に優れると共に、オリジナル性のある写真台紙１とすることができる。
また本実施形態においては、屈曲補強部４０を設ける構成としたが、必ずしもこのような構成に限るものではなく、屈曲補強部４０を設けない構成としてもよい。
【産業上の利用可能性】
【００３５】
本発明は、記念写真を保存、閲覧することができる写真台紙に利用することができる。
【符号の説明】
【００３６】
１          写真台紙
２          写真台紙
３          表紙部
４          基台部
５          開口部
６          写真
１０        基台部
１１        裏面
１２        表面
２０        表紙部
２０ａ      シート状部材
２１        裏面
２２        表面
３０        画像表示部
３１        ベース層
３１ａ      厚紙
３２        印画紙層
３２ａ      印画紙
３３        表面保護層
４０        屈曲補強部
５０        接着剤
６０        接着剤
Ｂ          長さ
Ｃ          長さ
Ｄ          長さ
Ｅ          長さ
Ｆ          長さ
Ｇ          合成印刷体
Ｈ          長さ
Ｊ          幅
Ｋ          屈曲領域
Ｌ１        折り返し線
Ｌ２        切断線
Ｍ          表紙部形成工程
Ｎ          長さ
Ｐ          写真画像
Ｑ          長さ
Ｒ          画像表示部形成工程
Ｓ          装飾画像
Ｔ          屈曲補強部形成工程
Ｕ          画像表示部貼り付け工程
【図１】
2013220130.tif 000003
【図２】
2013220130.tif 000004
【図３】
2013220130.tif 000005
【図４】
2013220130.tif 000006
【図５】
2013220130.tif 000007
【図６】
2013220130.tif 000008
【図７】
2013220130.tif 000009
【図８】
2013220130.tif 000010